(57)【要約】【課題】ブレーカが容易に着脱可能であり、取付時の固定力が十分に確保され、低コストである分電盤のブレーカ取付構造を提供する。【解決手段】ブレーカ取付構造１は、角部２５及び角部２５を含むように配置された切欠部３０を有する分電盤のパネル２と、第２被係止片４８を有するブレーカ１６と、第２被係止片４８に係止する各側部５４及び押さえ部５２、及び前記切欠部３０に入る溝部５８を有する、板状の取付部材１８と、を備えている。取付部材１８は、溝部５８が角部２５を通過することにより回転し、各側部５４及び押さえ部５２は、取付部材１８の倒伏姿勢から起立姿勢への回転により、第２被係止片４８に近づいて係止する。【選択図】図５
2019083599.tif 000002
【特許請求の範囲】
【請求項１】
角部及び当該角部に配置された切欠部を有する分電盤のパネルと、
被係止部を有するブレーカと、
前記被係止部に係止する係止部、及び前記切欠部に入る溝部を有する、板状の取付部材と、
を備えており、
前記取付部材は、前記溝部が前記角部を通過することにより回転し、
前記係止部は、前記取付部材の回転により、前記被係止部に近づいて係止する
ことを特徴とする分電盤のブレーカ取付構造。
【請求項２】
前記係止部は、一対の側部を含んでおり、
前記側部の外側に、前記溝部が配置されている
ことを特徴とする請求項１に記載の分電盤のブレーカ取付構造。
【請求項３】
前記係止部は、前記被係止部に接触する押さえ部を含んでいる
ことを特徴とする請求項１又は請求項２に記載の分電盤のブレーカ取付構造。
【請求項４】
前記取付部材は、他の部分に対して角度を付けられた摘み部を有している
ことを特徴とする請求項１ないし請求項３の何れかに記載の分電盤のブレーカ取付構造。
【発明の詳細な説明】
【技術分野】
【０００１】
本発明は、分電盤のパネルに対しブレーカを取り付けるための分電盤のブレーカ取付構造に関する。
【背景技術】
【０００２】
特開２００１−３２７００９号公報（特許文献１）に係る分電盤のブレーカ取付構造では、分電盤のパネル１は、挿入片６及び摘み５を有する樹脂性の取付部品４を受け入れる切欠３と、取付部品４を平行に保持する舌片１１及びＬ型片１２と、ブレーカ２を掛止する掛止片１４と、を有しており、取付部品４の基端の摘み５には、ブレーカ２を掛止する掛止凹部８が形成され、取付部品４の挿入片６の先端には、パネル１の突起９に後側から係止される抜止部１０が形成されている。
又、特開２００４−８７２７９号公報（特許文献２）に係るプラグインブレーカの抜止め構造は、引掛部１５を有する取付板１と、複数の導電バー２〜４と、導電バー２〜４に差込接続する受刃１２，１３が前面に配設され、受刃１２，１３を導電バー２〜４に差込接続した状態で引掛部１５に引掛けられて取付板１に載置されるプラグインブレーカ５と、載置側と反対側に垂下した垂下片２５と、取付板１の載置側表面に対して突出する位置と突出しない位置との間で進退自在であるストッパ部２６を有しており、垂下片２５に取り付けられる抜止め部材２７と、を備えており、抜止め部材２７が移動されることで、ストッパ部２６がプラグインブレーカ５に係止する。垂下片２５及び抜止め部材２７には、ストッパ部２６がプラグインブレーカ５に係止した位置から移動することを防止する凹凸係合部３４が設けられている。
【先行技術文献】
【特許文献】
【０００３】
【特許文献１】特開２００１−３２７００９号公報
【特許文献２】特開２００４−８７２７９号公報
【発明の概要】
【発明が解決しようとする課題】
【０００４】
上述の各構造では、取付部品４や抜け止め部材２７の操作により、容易にブレーカを着脱することができるものの、ブレーカの主な固定力は、抜止部１０の突起９への係止力か、あるいは凹凸係合部３４の係合力となっており、取付スペースに制限があることを考え合わせると、その向上には限界が存在する。
本発明の主な目的は、ブレーカが容易に着脱可能であり、取付時の固定力が十分に確保され、低コストである分電盤のブレーカ取付構造を提供することである。
【課題を解決するための手段】
【０００５】
上記目的を達成するために、請求項１に記載の発明は、角部及び当該角部に配置された切欠部を有する分電盤のパネルと、被係止部を有するブレーカと、前記被係止部に係止する係止部、及び前記切欠部に入る溝部を有する、板状の取付部材と、を備えており、前記取付部材は、前記溝部が前記角部を通過することにより回転し、前記係止部は、前記取付部材の回転により、前記被係止部に近づいて係止することを特徴とするものである。
請求項２に記載の発明は、上記発明において、前記係止部は、一対の側部を含んでおり、前記側部の外側に、前記溝部が配置されていることを特徴とするものである。
請求項３に記載の発明は、上記発明において、前記係止部は、前記被係止部に接触する押さえ部を含んでいることを特徴とするものである。
請求項４に記載の発明は、上記発明において、前記取付部材は、他の部分に対して角度を付けられた摘み部を有していることを特徴とするものである。
【発明の効果】
【０００６】
本発明の主な効果は、ブレーカが容易に着脱可能であり、取付時の固定力が十分に確保され、低コストである分電盤のブレーカ取付構造が提供されることである。
【図面の簡単な説明】
【０００７】
【図１】本発明に係るブレーカ取付構造の斜視図である。
【図２】図１の上面図である。
【図３】図２のＢ−Ｂ線断面図（内部構造省略）である。
【図４】図１の分解斜視図（ブレーカを除く）である。
【図５】図１の一部分離斜視図である。
【図６】図１の取付部材の斜視図である。
【発明を実施するための形態】
【０００８】
以下、本発明に係る実施の形態やその変更例が、適宜図面に基づいて説明される。尚、本発明は、下記の実施の形態や変更例に限定されない。
当該形態や変更例における前後上下左右は、説明の便宜上定められたものであり、設置の状況や移動可能あるいは姿勢変化可能な部材の位置や姿勢等により変化することがある。
【０００９】
図１は、本発明に係る分電盤のブレーカ取付構造１の斜視図であり、図２は、図１の上面図であり、図３は、内部構造が省略された図２のＢ−Ｂ線断面図であり、図４は、ブレーカ１６を除く図１の分解斜視図である。
ブレーカ取付構造１は、２枚の板状のパネル２を前後に並べた状態で上面側に載せる一対の板状のベース４と、左右の基台６を介してベース４間を渡るようにベース４に取り付けられて前後のパネル２間の上方に配置される前後一対の母線バー８と、各基台６及び母線バー８の左右各端部の上部に取り付けられる側面視Ｕ字状の架台１０と、架台１０に対して支持板１２を介して取り付けられ各母線バー８間の上方に配置される母線バー１４と、ブレーカ１６毎に用意される取付部材１８と、を備えている。
【００１０】
図５は、ブレーカ取付構造１に係る後側のパネル２と３個のブレーカ１６（うち１個は分離状態である）と６個の取付部材１８とについての斜視図であり、図６は、取付部材１８の斜視図である。
前側のパネル２は、後側のパネル２と、左右方向の母線バー１４に対して線対称となる配置を除いて同様に成るため、その説明は省略される。前側のパネル２に取り付けられるブレーカ１６や取付部材１８についても、同様である。
【００１１】
後側のパネル２の前辺部は、下方（起立部２０ａ）及び前方（接触部２０ｂ）に折曲げられた第１脚部２０となっており、パネル２の後辺部は、下方（起立部２２ａ）及び後方（接触部２２ｂ）に折曲げられた第２脚部２２となっている。パネル２は、第１脚部２０及び第２脚部２２の各接触部２０ｂ，２２ｂにおいてベース４に接触してネジ止めされ、第１脚部２０及び第２脚部２２の各起立部２０ａ，２２ａの分だけベース４から離れている。
パネル２における第１脚部２０と第２脚部２２との間は、前後左右に広がっており、複数（６個）のブレーカ１６を載置可能な載置部２４となっている。
【００１２】
第１脚部２０の起立部２０ａには、載置部２４より上方に突出する前面視ロ字状の係止片２６が、複数（６個）、左右に並ぶように設けられている。係止片２６は、載置部２４の一部を切り起こすことで、起立部２０ａに連続するように形成されている。
【００１３】
又、第２脚部２２の起立部２２ａと載置部２４との間の角部２５ないしその周辺部には、切欠部３０が６個設けられている。
各切欠部３０は、載置部２４の後端際に配置された左右に長い挿入部３０ａと、挿入部３０ａから角部２５まで挿入部３０ａより左右に短い状態で前後に延びるレール部３０ｂと、起立部２２ａに配置されたレール部３０ｂと同じ左右幅の待機部３０ｃと、を一連に備えている。
レール部３０ｂの後端部から、係止片２６までの前後方向の長さは、ブレーカ１６の前後方向の長さと同様である。
【００１４】
各母線バー８は、上方及び外側に突出する枝状部３２を、６本備えている。
又、母線バー１４は、下方及び外側に突出する枝状部３４を、下方及び前方に突出するもの６本、並びに下方及び後方に突出するもの６本の合計１２本有している。
【００１５】
各ブレーカ１６は、略直方体状のブレーカ本体４０と、ブレーカ本体４０の前部に配置された左右一対の凹状の電源側接続端子４２と、その下方であってブレーカ本体４０の下部に形成されたブレーカ本体４０から前方に突出する第１被係止片４４と、ブレーカ本体４０の後部に配置された左右一対の凹状の負荷側接続端子４６と、その下方であってブレーカ本体４０の下部に形成されたブレーカ本体４０から後方に突出する被係止部としての第２被係止片４８と、を備えている。
【００１６】
各取付部材１８は、後方からみて“∩”字状ないしは逆凹字状で金属製の板バネであり、左右対称形状を呈していて、起立状態で上部となり、他の部分に対して斜め後方に向かうように曲げられており角度を付けられている摘み部５０と、その下側に隣接する部分の中央から後方に延びる押さえ部５２と、摘み部５０の下側に隣接する部分の左右両側から下方に延びる側部５４と、を備えている。
摘み部５０の上部左右の角は、丸められており、押さえ部５２の後部左右の角も、丸められている。
押さえ部５２の前後方向の長さは、ブレーカ１６の第２被係止片４８の前後方向の長さと同様である。
各側部５４の中間部及び下部には、外側へ突出する突片５６が設けられている。両側部５４の内辺同士の間隔は、第２被係止片４８の左右方向の長さと同様であり、双方の上側の突片５６における下面を結んだ仮想的な細長い面と、押さえ部５２の下面の根本部との間隔は、第２被係止片４８の上下方向の長さと同様である。又、左右の突片５６における外側先端間の距離は、挿入部３０ａの左右の長さより短く、挿入部３０ａの前後方向の幅は、取付部材１８の肉厚より若干大きい。
各側部５４における上下の突片５６の間は、比較的に短い（取付部材１８の肉厚程度の）長さで前後に延びる溝部５８となっている。各溝部５８の上下方向の幅は、パネル２の肉厚より若干大きくなっている。
【００１７】
ブレーカ１６は、例えば次のようにパネル２の載置部２４に対し作業者により着脱される。
作業者は、予め、ブレーカ１６を取り付ける切欠部３０における挿入部３０ａに、起立状態の取付部材１８の各側部５４の先端部を入れ（図５の左から１，２番目の取付部材１８参照）、各溝部５８の外側にパネル２の載置部２４の肉厚部が位置する状態で取付部材１８を後方に移動させて、溝部５８内にレール部３０ｂの左右外側部分が入るようにする。
作業者は、更に取付部材１８の後方への移動を行い、レール部３０ｂの後端部から角部２５を経て待機部３０ｃに至るまで取付部材１８の移動を継続する（図５の左から３，４番目の取付部材１８参照）。取付部材１８は、角部２５から待機部３０ｃの上端部に移動する際、起立姿勢から、両側の溝部５８の周りで回転して、倒伏姿勢、即ち摘み部５０が後下がりとなり、押さえ部５２が下方に突出し、その他の部分が略水平に倒伏している姿勢となる。
【００１８】
そして、まず、作業者は、ブレーカ１６の第１被係止片４４を、パネル２の係止片２６に入れると共に、第２被係止片４８を、対応する取付部材１８の前側に配置する（図５における左側のブレーカ１６参照）。ブレーカ１６は、切欠部３０の挿入部３０ａとレール部３０ｂの後端部以外の部分とを覆う。
次いで、作業者は、摘み部５０を摘み、両側の溝部５８が切欠部３０の角部２５に配置された部分を上方に辿るようにして、取付部材１８を、倒伏姿勢から起立姿勢となるように回転させる（同図における中央ないし右側のブレーカ１６参照）。ブレーカ１６は、起立姿勢となった取付部材１８の側部５４や摘み部５０下側の隣接部分に押され、第１被係止片４４が係止片２６に完全に入る。又、母線バー８における１本の枝状部３２の先端部に、電源側接続端子４２の一方が完全に入り、母線バー１４における１本の枝状部３４の先端部に、他方の電源側接続端子４２が完全に入る。更に、取付部材１８の各側部５４の内側に、ブレーカ１６の第２被係止片４８の左右の面が接触し、押さえ部５２の下面に、第２被係止片４８の上面が接触する。よって、各側部５４及び押さえ部５２が、ブレーカ１６の第２被係止片４８を係止する係止部の役割を担う。
こうして、作業者は、ブレーカ１６のパネル２に対する取付を完了する。
【００１９】
取付状態において、ブレーカ１６は、パネル２の係止片２６の上部及び取付部材１８の押さえ部５２により、第２被係止片４８を介して上方への移動が食い止められる。
又、ブレーカ１６は、係止片２６の左部及び右部並びに各側部５４により、左右方向への移動が阻止される。
更に、ブレーカ１６は、係止片２６の後面、及び各側部５４の前面や摘み部５０下側の隣接部分の前面により、前後方向への移動が阻止される。
取付部材１８は、第２被係止片４８の側部５４間における嵌合により、前後方向や左右方向の移動が抑制される。又、取付部材１８は、当該嵌合や、押さえ部５２の第２被係止片４８に対する接触、あるいは溝部５８のパネル２（レール部３０ｂ後端部外側）への係合により、上下方向の移動が阻止される。
尚、枝状部３２，３４の先端部は、電源側接続端子４２に接続される。
【００２０】
ブレーカ１６を取り外す場合、作業者は、取付部材１８を倒伏姿勢に戻して取付部材１８がブレーカ１６の第２被係止片４８から離れるようにし、更にブレーカ１６を後退させ、第１被係止片４４がパネル２の係止片２６から離れるようにすると共に、電源側接続端子４２が枝状部３２，３４の先端部から離れるようにする。
作業者は、ブレーカ１６と取付部材１８とを共に後退させても良い。又、作業者は、併せて、取付部材１８を、パネル２の切欠部３０から、挿入部３０ａを経て取り外しても良い。
【００２１】
かようなブレーカ取付構造１は、角部２５及び角部２５を含むように配置された切欠部３０を有する分電盤のパネル２と、第２被係止片４８を有するブレーカ１６と、第２被係止片４８に係止する各側部５４及び押さえ部５２、及び前記切欠部３０に入る溝部５８を有する、板状の取付部材１８と、を備えており、取付部材１８は、溝部５８が角部２５を通過することにより回転し、各側部５４及び押さえ部５２は、取付部材１８の倒伏姿勢から起立姿勢への回転により、第２被係止片４８に近づいて係止する。よって、作業者は、取付部材１８の溝部５８をパネル２の切欠部３０に係合させた状態で、取付部材１８を角部２５により回転させ、各側部５４及び押さえ部５２をブレーカ１６の第２被係止片４８に係止させるだけで、ブレーカ１６をパネルに容易に取り付けることができ、各側部５４及び押さえ部５２の第２被係止片４８への係止を解除するだけでブレーカ１６を容易に取り外すことができる。かようなブレーカ１６を載置するための取付部材１８のパネル２への係合は、パネル２に切欠部３０を形成し、板状の取付部材１８に溝部５８を形成することにより、低コストで実現できる。又、取付部材１８は、ブレーカ１６の第２被係止片４８やパネル２の切欠部３０に対し、板バネとしての弾性力により係止しあるいは係合するので、ブレーカ１６取付時の固定力は、十分に確保される。
又、ブレーカ１６の第２被係止片４８を係止する係止部は、一対の側部５４を含んでおり、それら側部５４の外側に、溝部５８が配置されている。よって、ブレーカ１６に対する係止部及び切欠部３０に係合する溝部５８を有する取付部材１８がシンプルでコンパクトに形成される。
更に、第２被係止片４８を係止する係止部は、第２被係止片４８の上面に接触する押さえ部５２を含んでいる。よって、ブレーカ１６がより一層確実に取り付けられる。
加えて、取付部材１８は、他の部分に対して角度を付けられた摘み部５０を有している。よって、作業者は、摘み部５０を持つことで取付部材１８を容易に操作することができ、特に、ブレーカ１６の取付時にブレーカ本体４０から離れており持ち易い摘み部５０を持って、取付部材１８をブレーカ１６から全体が離れるまで容易に回転操作することができ、一層容易にブレーカ１６を取り外すことができる。
【００２２】
尚、ブレーカ取付構造１は、適宜次のような変更例を有する。
取付部材１８の形状や大きさ、材質等は、様々に変更することができる。例えば、各側部５４の下部同士を結ぶ連結部が設けられて、取付部材１８が後ろからみてロ字状とされても良い。又、摘み部５０とそれ以外の部分とが別体で形成され組み合わせられていても良く、各側部５４とそれ以外の部分とが別体で形成され組み合わせられていても良い。更に、摘み部５０あるいはその下側隣接部分の何れか一方は、省略されても良い。又更に、取付部材１８は、左右非対称形状であっても良い。又、押さえ部５２は、第２被係止片４８に対し単に接触するだけであっても良いし、第２被係止片４８に接触するのみならず第２被係止片４８を押圧しても良い。押さえ部５２の前後方向の長さは、ブレーカ１６の第２被係止片４８の前後方向の長さより短くても良いし、長くても良い。更に、溝部５８は、突片５６が配置されない状態で形成されても良いし、角溝に代えて丸溝やアリ溝とされても良いし、取付部材１８起立時の前後方向以外の方向に形成されても良いし、取付部材１８の肉厚より長くても良い。加えて、取付部材１８は、合成樹脂製であっても良い。
母線バー８，１４は、枝状部３２，３４を有さないものとすることができる。
枝状部３２，３４の代わりに凹部が設けられると共に電源側接続端子４２が当該凹部に入る凸部とされたり、断面ロ字状の係止片２６に代えて凸部を有する係止片が設けられると共に第１被係止片４４に代えて当該凸部を受け入れる凹部が設けられたり、第２被係止片４８が取付部材１８に設けられた凸部を受け入れる凹部とされたりする等、各種の係止や係合において凹凸が適宜入れ替えられても良い。又、各種の係止や係合は、互いに掛かり合う爪をそれぞれ有する凸部同士によってなされても良い。
電源側接続端子４２及び負荷側接続端子４６の少なくとも一方が上下に並ぶようにされたり、１枚のパネル２に５個以下あるいは７個以上のブレーカ１６が載置可能であるようにされたり、ベース４に１枚あるいは３枚以上のパネル２を載せたり、ベース４が一連のものとされるかあるいは省略されたり、３種以上の母線バーが設けられたりする等、各種部材や部分の配置や設置数等は、適宜変更可能である。
【符号の説明】
【００２３】
１・・ブレーカ取付構造、２・・パネル、１６・・ブレーカ、１８・・取付部材、２５・・角部、３０・・切欠部、４８・・第２被係止片（被係止部）、５０・・摘み部、５２・・押さえ部（係止部）、５４・・側部（係止部）、５８・・溝部。
【図１】
2019083599.tif 000003
【図２】
2019083599.tif 000004
【図３】
2019083599.tif 000005
【図４】
2019083599.tif 000006
【図５】
2019083599.tif 000007
【図６】
2019083599.tif 000008